(57)【特許請求の範囲】
【請求項１】
遊技盤と、前記遊技盤を保持する裏機構盤と、前記遊技盤の裏面側に配置され、遊技の進行制御を司る主制御基板を格納する主制御基板ケースと、着脱可能に設けられ、前記主制御基板ケースの一部を被覆するカバー体とを備え、
前記裏機構盤には前記主制御基板ケースの幅に相当する間隔を置いて１対の支持体が設けられ、該１対の支持体は上下２箇所に亘って設けられた係合部を有し、
前記主制御基板ケースは、両側部の上下２箇所に突出する係合体を有し、
前記係合部に前記係合体を嵌め合わせ、ねじりコイルバネによって付勢された止め片によって上部の係合体の脱落を防止した状態で、前記裏機構盤に対して前記主制御基板ケースを着脱可能に取り付けた弾球遊技機であって、
前記主制御基板ケースの一部を被覆するカバー体は、前記係合部及び前記係合体の係合部分を含む前記主制御基板ケースの半分程度を被覆しており、
前記主制御基板ケースは、前記係合部分の取り外し動作において、前記止め片によって付勢された前記係合体を上方向へスライドさせること及び前後方向へ回転させることを必要とする構造とされ、
前記カバー体の後部が、前記主制御基板ケースの蓋部と間隔を置いて対設した状態となっており、前記間隔が、前記主制御基板ケースの取り外しに必要な回転角度の範囲よりも小さくされ、
前記カバー体の下側部の近傍に複数の凸部を設け、前記主制御基板ケースの蓋部の前記カバー体が当接する位置に前記凸部に対応する凹部を形成し、前記凸部と前記凹部とを嵌着することで、
前記カバー体と前記主制御基板ケースとを連結密着状に形成し、前記上下方向へのスライド及び前記前後方向への回転を防ぐことを特徴とする弾球遊技機。
【請求項２】
前記主制御基板は、他の制御基板と接続するためのコネクタ部を露出した状態で備えており、
前記カバー体は、前記コネクタ部を被覆することを特徴とする請求項１に記載の弾球遊技機。
【請求項３】
前記遊技盤の裏面側には前記遊技盤の前面から見ることができる表示装置が設けられ、前記主制御基板ケースは、前記表示装置の下側に隣接して配置されており、
前記カバー体は、前記表示装置を後部側から保護するための裏ケースであり、
該裏ケースを下方へ延設することで前記主制御基板ケースの一部を被覆したことを特徴とする請求項１又は請求項２に記載の弾球遊技機。
【請求項４】
前記主制御基板から露出しているコネクタ部及び前記主制御基板ケースの係合部分は、前記主制御基板の上半分側に設けられ、
前記カバー体は、前記主制御基板ケースの上半分程度を被覆することで前記コネクタ部及び前記係合体の係合部分を被覆すると共に、裏機構盤にビス止めされることを特徴とすることを特徴とする請求項２又は請求項３に記載の弾球遊技機。
【発明の詳細な説明】
【０００１】
【発明の属する技術分野】
本発明は、いわゆるフィーバー機、羽根物、権利物又はアレンジボール等の弾球弾球遊技機に関する。
【０００２】
【従来の技術】
従来のパチンコ機を始めとする弾球遊技機においては、一般的に、制御基板が箱型ケースに内蔵されて形成された制御装置が、裏機構盤に取り付けられている。この制御装置は、パチンコホールにおいて、これまで使用してきた弾球遊技機を新しい弾球遊技機と入れ替える場合に、遊技盤や制御装置等の一部のみを変更し、裏機構盤等をリサイクルする場合もあることから、裏機構盤に対して着脱可能に取り付けられる。また、制御装置は、制御基板上に設置されたＲＯＭやＣＰＵ等の素子が弾球遊技機の作動を制御するものであるため、弾球遊技機を遊技者に有利に作動させるため、不正に取り外されたり、取り替えられたり又は改造されたりすることがある。したがって、かかる不正を防止するために、例えば、封印シールや封印シートを施して上記のような不正を行った場合には、これらが破れるようにして、不正の発見を容易にする手段が従来から種々考えられていた。
【０００３】
【発明が解決しようとする課題】
【０００４】
しかしながら、上記のように、不正防止手段が施されている弾球遊技機であっても、制御装置が不正に取り外され、取り替えられ又は改造されたりした後に、偽造された封印シールや封印シートが使用されるとともに、全く同一形状を呈するそっくりの偽の制御装置が設置された場合には、この不正の事態を迅速かつ容易に発見することができない。
【０００５】
そこで、本発明の課題は、裏機構盤に着脱可能に設置される制御装置が不正に取り外され、取り替えられ、又は改造されることを極力防止する、不正遊技者に不正されにくい弾球遊技機を提供することにある。
【０００６】
【課題を解決するための手段及び作用・効果】
上記課題を解決するために、本発明の弾球遊技機の構成は、
遊技盤と、前記遊技盤を保持する裏機構盤と、前記遊技盤の裏面側に配置され、遊技の進行制御を司る主制御基板を格納する主制御基板ケースと、着脱可能に設けられ、前記主制御基板ケースの一部を被覆するカバー体とを備え、前記裏機構盤には前記主制御基板ケースの幅に相当する間隔を置いて１対の支持体が設けられ、該１対の支持体は上下２箇所に亘って設けられた係合部を有し、前記主制御基板ケースは、両側部の上下２箇所に突出する係合体を有し、前記係合部に前記係合体を嵌め合わせ、ねじりコイルバネによって付勢された止め片によって上部の係合体の脱落を防止した状態で、前記裏機構盤に対して前記主制御基板ケースを着脱可能に取り付けた弾球遊技機であって、前記主制御基板ケースの一部を被覆するカバー体は、前記係合部及び前記係合体の係合部分を含む前記主制御基板ケースの半分程度を被覆しており、前記主制御基板ケースは、前記係合部分の取り外し動作において、前記止め片によって付勢された前記係合体を上方向へスライドさせること及び前後方向へ回転させることを必要とする構造とされ、前記カバー体の後部が、前記主制御基板ケースの蓋部と間隔を置いて対設した状態となっており、前記間隔が、前記主制御基板ケースの取り外しに必要な回転角度の範囲よりも小さくされ、前記カバー体の下側部の近傍に複数の凸部を設け、前記主制御基板ケースの蓋部の前記カバー体が当接する位置に前記凸部に対応する凹部を形成し、前記凸部と前記凹部とを嵌着することで、前記カバー体と前記主制御基板ケースとを連結密着状に形成し、前記上下方向へのスライド及び前記前後方向への回転を防ぐことを特徴とする。
【０００７】
通常、弾球遊技機の可変表示装置の表示画面（例えば液晶表示盤）上には、遊技と関係ある遊技情報を表示する識別情報表示領域が形成される。この識別情報表示領域は、第一表示部、第二表示部及び第三表示部の３つの可変表示部を少なくとも含み、それら第一〜第三表示部がある配置方向（例えば横方向）に沿ってこの順序で配置されている。この場合、第一表示部は左図柄が表示される左図柄表示領域、第二表示部は中図柄が表示される中図柄表示領域、第三表示部は右図柄が表示される右図柄表示領域となる。
【０００８】
そして、遊技盤の裏面側である裏機構盤には、この識別情報表示領域に特定の遊技状態において識別情報に関する表示態様制御を司る制御装置が、制御基板ケースに格納されて取り付けられている。すなわち、裏機構盤には所定の間隔を置いて一対の支持体が設置されており、各支持体の上下２箇所に亘って設けられた係合部に、制御基板ケースの両側部の上下２箇所に突出された係合体を嵌め合わせ、コイルバネ等によって付勢された止め片によって係合体の脱落を防止した状態で、制御基板ケースが取り付けられている。
【０００９】
この取り付け態様は、上述したように、パチンコホールにおいて、これまで使用してきた弾球遊技機を新しい弾球遊技機と入れ替える場合に、遊技盤や制御装置等の一部のみを変更し、裏機構盤等をリサイクルする場合を想定して、取り外しの利便性を図ったものである。制御装置はこの制御基板ケースに格納され、コネクタによって枠制御部、特別図柄制御部等と接続している。このようにして遊技盤の裏機構盤に取り付けられた制御基板ケースを、その後部側からカバー体によって一部又は全部を被覆し、かつ、このカバー体を着脱可能に設けている。
【００１０】
制御装置は裏機構盤において、前記可変表示装置における液晶表示盤と上下に隣接して配置されており、この液晶表示盤を保護するため、液晶表示盤の後部側には蓋付きの裏ケースが被覆されている。前記カバー体は、他の形態として、液晶表示盤を保護する裏ケースを、前記表示装置と前記制御基板ケースの一部又は全部を被覆するように構成して前記カバー体に代替させることも可能である。
【００１１】
遊技盤の略中央に配置される液晶表示盤は、遊技の性格上、４インチ〜１０インチと各種サイズが用意され、このサイズに対応して、液晶表示盤の後部側を保護する裏ケースの形状も相違することになる。裏ケースはいずれのサイズの液晶表示盤であってもその後部側より液晶表示盤を保護するとともに、液晶表示盤の下方で裏機構盤に着脱可能に設置される主制御基板を格納した制御基板ケースを、主制御基板から露出しているコネクタ部、制御基板ケースの取付部を含む上半分程度、又は全部を被覆することになる。
【００１２】
被覆後、裏ケースは裏機構盤に取り付けられるのであるが、裏ケースの四隅部をビス等によって取り付けるほか、以下のような取り付け形態も可能である。裏ケースの上部の一側より横方向へ突出した突出片を、裏機構盤に切り欠かれた挿通孔へ嵌め込む。一方、裏ケースの上部の他側をビスによって裏機構盤にネジ止めする。
【００１３】
上述のように、裏ケースが制御基板ケースの一部又は全部を被覆するように形成され、裏機構盤に取り付けられているので、不正遊技者が制御基板ケースを取り外すためには、その前に、裏ケースを取り外す必要が生じ、従来のように、裏機構盤に対して着脱可能な制御基板ケースをすばやく、かつ容易に取り外すことがほとんど困難になる。したがって、不正遊技者に不正されにくくなる。
【００１４】
また、裏ケースと制御基板ケースとの当接部分の一部を嵌着可能に形成することも可能である。すなわち、裏ケースの下側部の近傍に複数の凸部を設け、一方、制御基板ケースの蓋部に当該裏ケースが当接する位置に、前記凸部に対応した凹部を形成して、制御基板ケース側の凹部に裏ケースの凸部を嵌着する。
【００１５】
このように、裏ケースの一部が制御基板ケースに嵌着されているので、裏ケースと制御基板ケースとが連結密着状に形成されることとなり、従来のように、裏機構盤に対して着脱可能な制御基板ケースをすばやく、かつ容易に取り外すことがより一層困難となる。したがって、不正遊技者に不正されにくくなる。
【００１６】
遊技盤の裏機構盤において、液晶表示盤の上側には賞球貯留タンクが隣接して位置しており、液晶表示盤を保護するための裏ケースを賞球貯留タンクと連結させることも可能である。すなわち、裏ケースの上側部の外側面側に孔部を備えた突起部を２箇所設けるとともに、賞球貯留タンクの底部外側面側にボスを２箇所形成して、断面Ｌ字状の板状体としての連結体を両者にビス等により固着させて連結させる。
【００１７】
裏ケースを賞球貯留タンクと連結させれば、不正遊技者が制御基板ケースを取り外すためには、その前にまず、賞球貯留タンクを取り外し、次に、裏ケースを取り外す必要が生じることとなる。このため、従来のように、裏機構盤に対して着脱可能な制御基板ケースをすばやく、かつ容易に取り外すことがより一層困難となる。したがって、不正遊技者に不正されにくくなる。
【００１８】
【発明の実施の形態】
以下、本発明の実施の形態を、図面に示す実施例を参照して説明する。
ここでは弾球遊技機として、いわゆるフィーバー機と呼ばれるタイプの第一種パチンコ機（弾球遊技機）を例に取り、その構造を図１、図２を参照して説明する。
【００１９】
パチンコ機１の前面部は、本体枠２と、中枠３と、前面枠４と、上皿部５と、下皿部６と、施錠装置７とから構成されている。
本体枠２は、木製の板状体を略長方形の額縁状に組立て固着したものである。中枠３は、全体がプラスチック製で、枠体部（図示略）と下板部（図示略）とを有して本体枠２の内周側に嵌合し取り付けられている。
【００２０】
ここで枠体部は、上端から下方へ中枠３全体の略２／３程度に略長方形の額縁状に形成され、上端部には、前面枠４の枠飾りランプ用レンズ４ｂに対応して、左側に賞球表示ＬＥＤ（図示略）及び賞球表示ＬＥＤ基板４ｄ（図４参照）が、右側にストップ表示ＬＥＤ（図示略）及びストップ表示ＬＥＤ基板４ｆ（図４参照）が配設されている。
【００２１】
また、下板部は、下端から上方へ中枠３全体の略１／３程度を占め、左端には、上皿部５に形成されたスピーカ面５ａに対応すべく、遊技状態に応じた効果音その他の音（以下音声情報等という）を発生させるスピーカー４００（図４参照）が配設され、略中央には、遊技球を発射する発射装置ユニット８（図３参照）に対し、上皿部５に貯留された遊技球を供給する供給装置等（図示略）が設けられている。さらに、下方には下皿部６が設けられ、右端中央には施錠装置７が設けられている。
【００２２】
下皿部６は、灰皿や玉抜きレバー等を備えて、パチンコ機１の内部から遊技球を排出するための排出口６ａが開設され、右端に発射装置ユニット８を操作する発射ハンドル９が設けられている。また、この発射ハンドル９には、遊技者がタッチしていることを検出するタッチスイッチ９ａが装着され、その近傍には、発射停止を一時的に指令する発射停止スイッチ９ｂが配置されている。施錠装置７は、正面視すると鍵穴を備えた略長方形状を呈し、前面枠４を閉鎖した場合に施錠するためのものである。
【００２３】
前面枠４は、全体がプラスチック製であり、遊技盤１０を前方から視認するべく、遊技盤１０に形成された遊技領域１１の形状に対応して上側が略円弧状を呈し、全体が略弾丸形状に開設された開口部４ａを有している。そして、その裏面には、開口部４ａに応じてガラス板が嵌められた略長方形状のガラス枠（図示略）が装着されている。また、この前面枠４は、パチンコ機１の前面全体の２／３のサイズを占め、中枠３の左端に軸着され開閉可能に形成されている。さらに、上端部には、枠飾りランプ用レンズ４ｂが設けられ、このレンズ４ｂ内部には、開口部４ａ上端の円弧部分に沿って、枠飾りランプ基板４ｇ（図４参照）及び複数個の遊技効果ランプ（図示略）が配設されている。
【００２４】
上皿部５は、前面枠４の下側で、中枠３の左端に軸着され開閉可能に形成されている。皿外縁部５ｂには、玉抜きボタンや遊技球の貸出・返却ボタン等が配設されている。またパチンコ機１の内部から遊技球を排出するための排出口５ｃが開設されている。左端には、複数の長孔を有するスピーカ面５ａが形成され、その裏面には、音量スイッチ基板１２（図４参照）が設けられている。パチンコ機１の左端側には、プリペイドカードユニット１３が装着されている。
【００２５】
次に、本実施例の遊技盤１０の表面構造を図２を参照して説明する。
遊技盤１０は、略長方形の木製の板状体であって、後述する裏機構盤１０２（図３参照）により保持され、その表面に設けられた外レール１４と内レール１５とにより略円形状に形成される遊技領域１１内に、特別図柄表示装置１６と、第一種始動口（普通電動役物）１７と、変動入賞装置１８と、左上入賞口１９、右上入賞口２０、左入賞口２１、右入賞口２２と、多数の障害釘２３と、一対の風車２４、２５等が配設されて、構成されている。
【００２６】
特別図柄表示装置１６は、遊技領域１１の略中央部に配置され、センター役物２６と、液晶表示盤２７とを備えている。この液晶表示盤２７の映像画面は略長方形状を呈しており、その表示画面上に１又は複数の特別図柄を所定の方向に次々と変動させながら表示した後、停止表示する特別図柄表示領域が形成されている。すなわち、左特別図柄を表示する左特別図柄表示領域２８、中特別図柄を表示する中特別図柄表示領域２９、及び右特別図柄を表示する右特別図柄表示領域３０が、横一列に設定された配置方向においてこの順序で並んで形成されている。各特別図柄表示領域２８〜３０は、これらの表示領域２８〜３０の配置方向と略直交する向き、この場合、上下方向に図柄変動方向が設定され、その向きで変動しているように識別情報としての複数の図柄（特別図柄）が順次表示されていく。また、この液晶表示盤２７は、遊技球が第一種始動口（普通電動役物）１７に入球することにより、その映像画面の表示領域２８〜３０に表示される各特別図柄をそれぞれ変動させて停止表示させるものである。そして、例えば、図柄が「７、７、７」の３桁同一図柄で揃って停止表示すると、変動入賞装置１８に配設された後述する大入賞装置３１の大入賞口（図示略）が開放される。また、センター役物２６は、液晶表示盤２７の前面周辺部に額縁状に突設して装着され、普通図柄表示装置３２と、特別図柄保留表示ＬＥＤ１６ａと、ステージ３３と、ステージ飾り通路３４とを備えている。
【００２７】
普通図柄表示装置３２は、センター役物２６の上部中央に配置され、７セグメント表示器３２ａと、普通図柄保留表示ＬＥＤ３２ｂとを有している。７セグメント表示器３２ａは、１〜９の奇数数字を変動表示させるもので、後述する左右の普通図柄作動ゲート３６、３７のいずれかを遊技球が通過することにより、変動して所定時間経過後に１種類の奇数数字が確定表示される。そして、例えば「７」で確定表示すると、第一種始動口（普通電動役物）１７が所定時間（例えば、０．５秒）開放される。左右の普通図柄作動ゲート３６、３７へ入球した遊技球は、前記センター役物２６の左右両側の前面部分に形成された誘導経路３８、３９を経て中央に寄せられながら、前面の左右下部にそれぞれ設けられた左誘導出口４０、右誘導出口４１から自然落下する。
【００２８】
前記センター役物２６の外側部の左右両側には、遊技球の普通図柄作動ゲート３６、３７がそれぞれ設けられ、その内部には左、右普通図柄作動ゲート通過検知スイッチ３６ｓ、３７ｓ（図４参照）が配設されている。
【００２９】
前記センター役物２６の外側部上端の左側に遊技球の左通過口４２、右側に右通過口４３がそれぞれ設けられ、各通過口４２、４３から入球した遊技球はセンター役物２６の背面側に設けられた左通過筒部（図示略）、右通過筒部（図示略）を通過して、左通過口出口（図示略）、右通過口出口（図示略）から飛び出してステージ飾り通路３４を通過してステージ３３上を転動する。ステージ３３はセンター役物２６下部に配置され、各通過口出口からの遊技球を中央寄りに集めつつ、さらに、遊技盤１０面上を流下させるべく、一部傾斜状に形成されている。
【００３０】
普通図柄保留表示ＬＥＤ３２ｂは、４個の丸形の赤色ＬＥＤで構成され、７セグメント表示器３２ａの左右両側に配置されている。これは、左右の普通図柄作動ゲート３６、３７を通過した遊技球の数を４個まで保留とし、通過ごとに順次点灯しシフト表示するものである。次の７セグメント表示器３２ａの変動表示が開始するたびに、未始動回数が消化され、１個の普通図柄保留表示ＬＥＤ３２ｂは消灯される。
【００３１】
特別図柄保留表示ＬＥＤ１６ａは、前記センター役物２６の上部内側部中央に吊設され、４個の赤色ＬＥＤで構成されている。これは、第一種始動口（普通電動役物）１７に入球した遊技球の数を４個まで保留とし、入球ごとに順次点灯しシフト表示するものである。次の特別図柄の変動が開始するたびに、未始動回数が消化され、１個の特別図柄保留表示ＬＥＤ１６ａは消灯される。
【００３２】
第一種始動口（普通電動役物）１７は、ステージ３３の中央直下に配設され、いわゆるチューリップ式で左右に一対の翼片部が開閉するべく形成されている。内部には、遊技球の通過を検知する第一種始動口（普通電動役物）入賞検知スイッチ１７ｓ（図４参照）が備えられている。この一対の翼片部が左右に開くと、遊技球の入球可能な開放状態となり、一対の翼片部が閉じると、遊技球の入球困難な閉鎖状態となる。
【００３３】
変動入賞装置１８は、上記第一種始動口（普通電動役物）１７の下方に配設され、前面側が略逆台形状に形成された基板４４に、大入賞装置３１と、左入賞口２１と右入賞口２２とを備えている。ここで、大入賞装置３１は、略中央に形成され、帯状に開口された大入賞口（図示略）と、この大入賞口を開放・閉鎖する開閉板３５と、この開閉板３５を開閉するための大入賞口ソレノイド５２（図４参照）と、連動杆（図示略）と、特定領域開閉シャッター（図示略）と、この特定領域開閉シャッターを作動させるための開閉シャッターソレノイド５３（図４参照）と、特定領域（図示略）と、特定領域外領域（図示略）とから構成されている。
【００３４】
また、左入賞口２１は、大入賞装置３１の左側方に配設されて内部に左入賞口通過検知スイッチ２１ｓ（図４参照）が設けられている。さらに、右入賞口２２は、大入賞装置３１の右側方に配設されて内部に右入賞口通過検知スイッチ２２ｓ（図４参照）が設けられている。バック球防止部材４５は、アウト口４６の下部に設けられ、遊技領域１１に到達せず戻ってきた遊技球が再び発射位置に戻ることを防止するものである。ファール球防止部材４７は、内レール１５の先端部に取り付けられ、返しゴム４８は、ファール球防止部材４７の位置とは略正反対側の、遊技盤１０の右半分側の位置であって、外レール１４に沿って嵌合状に取り付けられている。
【００３５】
左上入賞口１９及び右上入賞口２０はそれぞれ、変動入賞装置１８の左右斜め上方に配設されている。そして、その内部にはそれぞれ、左上入賞口通過検知スイッチ１９ｓ（図４参照）、右上入賞口通過検知スイッチ２０ｓ（図４参照）が設けられている。一対の風車２４、２５はそれぞれ、特別図柄表示装置１６から左右両側に配設されている。なお、多数の障害釘２３は、以上説明した各遊技装置との位置バランスを考慮して、遊技領域１１にパチンコ遊技に適するべく、配設されている。
【００３６】
次に、本実施例のパチンコ機１の裏面構造について図３を参照して説明する。
前面枠４は中枠３にあって、前面枠４の上下端の位置に設けられた一対のヒンジ１０１により、開閉可能に支持されている。機構盤１０２は中枠３にあって機構盤１０２の上下端の位置に設けられた一対のヒンジ１０３により、開閉可能に支持されている。遊技盤１０は中枠３の表面側に着脱可能に取り付けられている。上端側にあるヒンジ１０１の配設位置からみて左側には、タンク球切れ検知スイッチ１０４をタンク底部に備えた賞球タンク１０５と、この賞球タンク１０５に接続されるタンクレール１０６とが取り付けられている。また、タンクレール１０６の右側には、球抜きレバー１０７が設けられ、その下流側には、補給球切れ検知スイッチ１０８が、さらに、その下流側には、賞球払出装置１０９が配設されている。
【００３７】
続いて、遊技球の振り分け部１１０が賞球払出装置１０９の下流側に設けられている。タンクレール１０６の下側には、特別図柄表示装置１６における液晶表示盤２７を格納した蓋付きの裏ケース１１１が、この裏ケース１１１の下側には、後述する主制御部１４０（図４参照）である主制御基板３４０（図４参照）を格納した主制御基板ケース１１２がそれぞれ設けられている。この主制御基板３４０は後述する各制御部の各制御基板と接続するためのコネクタ部を、その上部に露出した状態で備えている。そして、主制御基板３４０のコネクタ部と各制御基板との配線を確保するために、その上下方を開口としたカバー体１１２ａが主制御基板ケース１１２の後部側より、主制御基板３４０から露出しているコネクタ部を含む上半分程度を被覆し、四隅部の４箇所をビス１１２ｂによって着脱可能に取り付けられている。
【００３８】
主制御基板ケース１１２の左側には、発射装置制御基板（図示略）を格納した発射装置制御基板ケース１１３、タッチ感度調整つまみ１１４、球飛び強弱調整つまみ１１５及び発射制御集合中継基板１１６が設けられている。機構盤１０２の左下方部には、上述した発射装置ユニット８が、同じく右下方部には、補給球詰まり、下皿部満タン、主電源電圧異常、発射停止、主制御基板通信異常、賞球モータ異常などを７セグメントＬＥＤで表示する枠状態表示器１１７を備えた枠制御部１５０（図４参照）である第一周辺制御基板３５０（図４参照）を格納した枠制御基板ケース１１８が設けられている。
【００３９】
一方、機構盤１０２の右上端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた端子基板１２２が設けられている。また、外部からの電力の供給を受けるための電源ケーブル１２３も端子基板１２２の下側に配設されている。第一周辺制御基板３５０を格納した枠制御基板ケース１１８からは接続ケーブル１２４が上方へ延出し、電源ケーブル１２５を備えたプリペイドカードユニット１３に接続されている。また、機構盤１０２の略中央下端部には、下皿部用球通路部材１２６が設けられている。
【００４０】
次に、本実施例のパチンコ機１の電子制御装置１３０について、図４を参照して説明する。まず、電子制御装置１３０は、主制御部１４０と、共通信号伝送経路である共有バス５００により、その主制御部１４０に直列的に接続された枠制御部１５０、特別図柄制御部１６０、ランプ制御部１７０及び音声制御部１８０とを含んで構成されている。主制御部１４０は、主制御基板３４０で形成され、主制御部１４０以外の４つの制御部１５０、１６０、１７０、１８０は、第一〜第四の周辺制御基板３５０〜３８０で形成されている。
【００４１】
主制御部１４０は、ＣＰＵ１４１と、ＲＡＭ１４２と、ＲＯＭ１４３と、入出力ポート１４４とをバス１４５により相互に接続したものである（演算回路構成要素）。そして、ＣＰＵ１４１はＲＯＭ１４３に格納された制御プログラムにより、ＲＡＭ１４２をワークエリアとしてパチンコ機１全体の作動制御（すなわち、遊技の基本進行制御）を司る。また、ＲＯＭ１４３に記憶された当否判定プログラムにより、ＣＰＵ１４１が主体となって当否判断制御を行う。また、入出力ポート１４４には前記した共有バス５００が接続され、後述する通り入出力ポート１４４からその共有バス５００へ、各制御部１５０、１６０、１７０、１８０へ処理内容を指示する、指令信号たるコマンドデータを送信する。なお、主制御部１４０から各制御部１５０、１６０、１７０、１８０へは、一方向形式でデータが伝送される。また、該主制御部１４０には、電源ターミナル基板１２１が接続されている。
【００４２】
中継基板２００には、右普通図柄作動ゲート通過検知スイッチ３７ｓ、左普通図柄作動ゲート通過検知スイッチ３６ｓ、カウント検知スイッチ６２、カウント検知及び特定領域通過検知スイッチ６３等が接続され、中継基板２００の出力端子は、入出力ポート１４４と接続されている。また、第一種始動口（普通電動役物）入賞検知スイッチ１７ｓも、入出力ポート１４４に接続されている。
【００４３】
枠用端子基板２００ａには、タッチスイッチ９ａ、発射停止スイッチ９ｂ、ヴォリュームスイッチ２０２、左上入賞口通過検知スイッチ１９ｓ、右上入賞口通過検知スイッチ２０ｓ、左入賞口通過検知スイッチ２１ｓ、右入賞口通過検知スイッチ２２ｓ、タンク球切れ検知スイッチ１０４及び補給球切れ検知センサ１０８等が接続され、枠用端子基板２００ａの出力端子は、枠制御部１５０の入出力ポート１５４と接続されている。
【００４４】
枠制御部１５０は、主制御部１４０と同様の演算回路構成要素１５１〜１５５を含んで構成され、入出力ポート１５４において共有バス５００に接続されている。また、入出力ポート１５４には、普通図柄表示装置基板３２ｆ、役物作動を司る各種ソレノイド５２、５３、賞球払出装置１０９、発射装置制御基板２０１等が接続されている。
【００４５】
特別図柄制御部１６０は、主制御部１４０と同様の演算回路構成要素１６１〜１６５を含んで構成され、入出力ポート１６４において共有バス５００に接続されている。入出力ポート１６４には、液晶表示盤２７が接続されている。
【００４６】
ランプ制御部１７０は、主制御部１４０と同様の演算回路構成要素１７１〜１７５を含んで構成され、入出力ポート１７４において共有バス５００に接続されている。入出力ポート１７４には、枠飾りランプ基板４ｇ、各種ランプ基板２６１ｆ、２６２ｆ、各種ＬＥＤ基板４ｄ、４ｆ、１９ｆ、２０ｆ、２１ｆ、２２ｆ、２６３ｆ、２６４ｆが接続されている。これら各基板にランプあるいはＬＥＤが１又は複数個接続される。これらのランプ等はゲームの進行に対応して点灯・消灯又は点滅する。
【００４７】
音声制御部１８０は、主制御部１４０と同様の演算回路構成要素１８１〜１８５を含んで構成され、入出力ポート１８４において共有バス５００に接続されている。入出力ポート１８４には、サウンドジェネレーター２０３、音量スイッチ基板１２が接続されている。サウンドジェネレーター２０３は、図示しないＬＳＩ等に格納された音声データと音声出力モジュールとに基づいて、これに接続されたスピーカー４００より、ゲームの進行に対応した各種の音声出力を行う。音量スイッチ基板１２は、図示しない音量スイッチの操作に伴い、サウンドジェネレーター２０３に対して出力音量の設定を行うものである。
【００４８】
次に、賞球動作は、以下の順序で実行される。
主制御部１４０は、遊技球がカウント検知スイッチ６２又はカウント検知及び特定領域通過検知スイッチ６３を通過したら１５個の賞球個数データを、第一種始動口（普通電動役物）入賞検知スイッチ１７ｓを通過したら６個の賞球個数データを、それ以外の場合、例えば、左右入賞口２１、２２の通過検知スイッチ２１ｓ、２２ｓの通過を検知した場合などにおいては、１０個の賞球個数データを、枠制御部１５０に対してその検知順に、枠制御部１５０を作動指令対象とする指令信号として、前記した共有バス５００を介して送信する。（すなわち、固有賞球数はここでは、６個、１０個あるいは１５個である。）枠制御部１５０は、主制御部１４０からの賞球個数データを受け取り、賞球払出信号の送信により賞球払出装置１０９を作動させる。
【００４９】
また、主制御部１４０は、上述の各種検知スイッチの出力に基づいて遊技状態を判断し、また、その遊技状態に基づいて当否判定を行うとともに、判定内容に応じて対応する図柄表示態様で画像表示制御を行うためのデータを作成する。例えば、主制御部１４０は、第一種始動口（普通電動役物）入賞検知スイッチ１７ｓ、カウント検知スイッチ６２、カウント検知及び特定領域通過検知スイッチ６３等の検知結果や、特別図柄当否判定乱数の取得値などを使用して、遊技が行われていない客待ちの状態、遊技は行われているが始動入賞がない状態（変動準備状態）、始動入賞があった状態、及び、特別遊技状態なども判断する。また、始動入賞が検知されると乱数値に基づいて当否判定が行われ、その判定結果に基づいて特別図柄の変動、又は確定などの表示態様制御のためのデータが作成される。このデータは、特別図柄制御部１６０を作動指令対象とする指令信号として、前記した共有バス５００を介して送信される。
【００５０】
さらに、枠飾りランプ基板４ｇ等の各種ランプやサウンドジェネレーター２０３は、特別図柄制御部１６０の制御による特別図柄の変動・停止表示態様、リーチ発生の有無、リーチ表示態様（全回転、コマ送り、逆進、図柄の拡大・縮小など）、特別遊技態様、及び、遊技モード（確率変動、時短など）等に応じてその態様は制御される。その制御指令の指令信号は、ランプ制御部１７０あるいは音声制御部１８０を作動指令対象とする指令信号として、前記した共有バス５００を介して送信される。
【００５１】
次に、主制御部１４０により実行されるメインジョブについて図５を参照して説明する。これは、主制御部１４０のＲＯＭ１４３に格納されたプログラムに基づき、ＣＰＵ１４１により実行されるものである。すなわち、スタックポインタをＲＡＭ１４２の所定のアドレスに設定した後（Ｓ１０）、初期化終了の判定が行われる（Ｓ２０）。初期化が終了していれば（Ｓ２０：ＹＥＳ）、ＬＥＤジョブ（Ｓ３０）からスイッチジョブ（Ｓ７０）までのジョブが実行される。また、初期化が終了していなければ（Ｓ２０：ＮＯ）、初期化ジョブ（１９０）が実行される。
【００５２】
ＬＥＤジョブ（Ｓ３０）においては、普通図柄及び普通図柄未始動回数の表示態様データや、特別図柄未始動回数の表示態様データなどが出力される。等速乱数ジョブ（Ｓ４０）では、ＲＡＭ１４２の特別図柄当否判定乱数メモリや汎用カウントメモリ（図示略）などが更新される。非等速乱数ジョブ（Ｓ５０）では、外れ普通図柄乱数メモリ（図示略）が更新される。なお、汎用カウントメモリ（図示略）は、ユーザーリセットごとの「０」〜「２５５」の値の作成や、コマンドジョブ、飾りジョブの実行などに使用される。また、音楽作成ジョブ（Ｓ６０）では、音楽や音声に関するデータの作成が行われ、スイッチジョブ（Ｓ７０）では、各種検知スイッチの読み込みが行われる。すなわち、発射停止検知信号、タッチ検知信号、ヴォリューム検知信号、カウント検知信号、特定領域通過検知信号、普通図柄作動ゲート通過検知信号、左右入賞口通過検知信号などの各種信号が中継基板２００を介して主制御部１４０、あるいは枠用端子基板２００ａを介して枠制御部１５０にそれぞれ取り込まれ、また、第一種始動口（普通電動役物）入賞検知スイッチ１７ｓから第一種始動口入賞検知信号が中継基板２００を介して主制御部１４０に取り込まれる。
【００５３】
さらに、カウント検知スイッチ６２又はカウント検知及び特定領域通過検知スイッチ６３に異常があるか否かが判定され（Ｓ８０）、異常がなければ（Ｓ８０：ＹＥＳ）、特別図柄メインジョブ（Ｓ９０）から音声ジョブ（Ｓ１１０）までのジョブが実行される。また、異常（球詰まりや断線など）があれば（Ｓ８０：ＮＯ）、エラージョブ（Ｓ１３０）が実行される。
【００５４】
特別図柄メインジョブ（Ｓ９０）においては、主制御部１４０と特別図柄制御部１６０とが協調して動作するために必要なデータに関するジョブが実行される。また、普通図柄メインジョブ（Ｓ１００）では、普通図柄及び普通図柄未始動回数の表示態様データの作成が行われる。音声ジョブ（Ｓ１１０）では、遊技状態に応じた音声のデータが出力される。
【００５５】
この後、再び、カウント検知スイッチ６２又はカウント検知及び特定領域通過検知スイッチ６３に異常があるか否かが判定され（Ｓ１２０）、異常がなければ（Ｓ１２０：ＹＥＳ）、各フラグ状態がバックアップメモリにセットされ（Ｓ１４０）、賞球信号ジョブ（Ｓ１５０）、情報信号ジョブ（Ｓ１６０）、コマンドジョブ（Ｓ１７０）、及び残余時間ジョブ（Ｓ１８０）が実行される。各種スイッチに異常がある場合には（Ｓ１２０：ＮＯ）、エラージョブ（Ｓ１３０）が実行される。
【００５６】
賞球信号ジョブ（Ｓ１５０）においては、賞球払出しに関するデータの作成や出力が行われ、情報信号ジョブ（Ｓ１６０）では、他の制御部への情報出力に必要なデータの作成が行われる。さらに、コマンドジョブ（Ｓ１７０）では、特別図柄管理のためのコマンドの入出力が行われ、残余時間ジョブ（Ｓ１８０）では、非等速乱数の呼出しや、汎用乱数メモリ（図示略）の更新が行われる。
【００５７】
図３に戻り、裏機構盤１０２の略中央位置のやや上側には、上述したように、液晶表示盤２７を格納した蓋付きの裏ケース１１１が、この裏ケース１１１の下側には、主制御部１４０（図４参照）である主制御基板３４０を格納した主制御基板ケース１１２がそれぞれ設けられている。この主制御基板ケース１１２は、図６に示すように、裏機構盤１０２の略中央位置に少なくとも主制御基板ケース１１２の幅に相当する間隔を置いて設置された一対の支持体１２７に嵌め合わされている。すなわち、一対の支持体１２７の上下２箇所に亘って設けられた係合部１２８に、主制御基板ケース１１２の両側部の上下２箇所に突出された係合体１２９を嵌め合わせ、ねじりコイルバネ等によって付勢された止め片１３１によって上部の係合体１２９の脱落を防止した状態で、主制御基板ケース１１２が着脱可能に取り付けられている。
【００５８】
このように、主制御基板ケース１１２を裏機構盤１０２に対して着脱可能に設置することは、上述のように、パチンコホールにおいて、これまで使用してきたパチンコ機１を新しいパチンコ機１と入れ替える場合に、遊技盤１０や主制御基板３４０の一部のみを変更し、裏機構盤１０２をリサイクルする場合を想定して、取り外しの利便性を図ったものである。しかしながら、この利便性が故に、不正遊技者が主制御基板３４０を主制御基板ケース１１２とともに裏機構盤１０２から簡単に取り外して、改造した主制御基板３４０を主制御基板ケース１１２とともに裏機構盤１０２へ簡単に取り付けることができる。したがって、この主制御基板ケース１１２の後部側より、主制御基板３４０から露出しているコネクタ部（図示略）を含む上半分程度を、上下方が開口しているカバー体１１２ａによって被覆し、四隅部の４箇所をビス１１２ｂによって裏機構盤１０２に対して着脱可能にビス止めし、不正遊技者による容易な取り外し、取り付けを防止している。
【００５９】
主制御基板３４０は裏機構盤１０２において、液晶表示盤２７の下側に隣接して配置されているので、液晶表示盤２７を保護するための蓋付きの裏ケース１１１を下方へ延設して、主制御基板ケース１１２をも被覆させることも可能である。すなわち、液晶表示盤２７を保護する裏ケース１１１ａを、図７に示すように、液晶表示盤２７と主制御基板ケース１１２の一部又は全部を被覆するように構成して前記カバー体１１２ａに代替させることも可能である。
【００６０】
図示例の裏ケース１１１ａは、遊技盤１０の略中央に配置される大型（１０インチ）の液晶表示盤２７の表示画面に対応して、液晶表示盤２７の後部側から被覆し得る大きさに形成されている。そして、この裏ケース１１１ａは液晶表示盤２７の後部側より液晶表示盤２７を保護するとともに、液晶表示盤２７の下方で裏機構盤１０２に着脱可能に設置される主制御基板３４０を格納した主制御基板ケース１１２の上半分程度を被覆している。したがって、主制御基板３４０から露出しているコネクタ部、及び裏機構盤１０２の支持体１２７の係合部１２８に対する主制御基板ケース１１２の係合体１２９の係合部分は、裏ケース１１１ａによって被覆されることになる。
【００６１】
上述したように、主制御基板ケース１１２は、上下両側から突出された係合体１２９が裏機構盤１０２の略中央位置に設置された一対の支持体１２７の係合部１２８に取り付けられている。そして、裏ケース１１１ａは、図９に示すように、その後部Ｈが裏機構盤１０２に取り付けられた主制御基板ケース１１２の蓋部と間隔Ｌを置いて対設した状態となっている。この間隔Ｌが、図示例のように、主制御基板ケース１１２が前後方向に揺動可能とする回転角度（取り外しに最低限必要な揺動角度）の範囲（取り外しに最低限必要な水平変位量）よりも小さい距離の場合には、主制御基板ケース１１２の蓋部が裏ケース１１１ａの後部Ｈの内側に当たり、主制御基板ケース１１２を一対の支持体１２７から取り外すことが不可能となる。このため、主制御基板ケース１１２を取り外すためには、まず、裏ケース１１１ａを取り外すことが必要となる。逆に距離が大きい場合には、主制御基板ケース１１２は、裏ケース１１１ａを先に取り外さなくても容易に取り外すことができる。したがって、上記間隔Ｌは回転角度の範囲よりも小さい距離とすることが必要である。
【００６２】
この裏ケース１１１ａを裏機構盤１０２に取り付けるに際しては、裏ケース１１１ａが裏機構盤１０２と接している、例えば上部両側の２箇所をそれぞれビス止め（図示略）する形態の他、図１０及び図１１に示すような取り付け形態とすることも可能である。すなわち、裏ケース１１１ａの上部の一側より横方向へ突出した一対の突出片１３２を、裏機構盤１０２に一対切り欠かれた挿通孔１３３へそれぞれ嵌め込む。一方、裏ケース１１１ａの上部の他側をビス１３６によって裏機構盤１０２にネジ止めして取り付ける。
【００６３】
図１２に示す裏ケース１１１ｂは、上述の裏ケース１１１ａが遊技盤１０の略中央に配置される大型（１０インチ）の液晶表示盤２７の表示画面に対応して形成されているのに対し、比較的小型（５インチ程度）の液晶表示盤２７の表示画面に対応して形成されているものである。すなわち、遊技盤１０の略中央に配置される液晶表示盤２７は、遊技の性格上、４インチ〜１０インチと各種サイズが用意され、このサイズに対応して、液晶表示盤２７の後部側を保護する裏ケース１１１ｂの形状も相違することになる。裏ケース１１１ｂはいずれのサイズの液晶表示盤２７であってもその後部側より液晶表示盤２７を保護するとともに、液晶表示盤２７の下方で裏機構盤１０２に着脱可能に設置される主制御基板３４０を格納した主制御基板ケース１１２を、主制御基板３４０から露出しているコネクタ部、主制御基板ケース１１２の取付部を含む上半分程度を被覆することになる。
【００６４】
このように、裏ケース１１１ａ、１１１ｂが主制御基板ケース１１２の一部又は全部をも被覆するように形成され、裏機構盤１０２に取り付けられているので、不正遊技者が主制御基板ケース１１２を取り外すためには、その前に、裏ケース１１１ａ、１１１ｂを取り外す必要が生じ、主制御基板ケース１１２の取り外しにおいて必要な動作となる主制御基板ケース１１２の係合体１２９の上下方向へのスライドと前後方向への回転とを困難とし、従来のように、裏機構盤１０２に対して着脱可能な主制御基板ケース１１２をすばやく、かつ容易に取り外すことがほとんど困難になる。
【００６５】
裏ケース１１１ｃは、図１３に示すように、裏ケース１１１ｃと主制御基板ケース１１２との当接部分の一部を嵌着可能に形成することも可能である。すなわち、裏ケース１１１ｃの下側部の近傍に複数の凸部１３７を設け、一方、主制御基板ケース１１２の蓋部１３８に当該裏ケース１１１ｃが当接する位置に、前記凸部１３７に対応した凹部１３９を形成して、主制御基板ケース１１２側の凹部１３９に裏ケース１１１ｃの凸部１３７を嵌着する。このように、裏ケース１１１ｃの一部が主制御基板ケース１１２に嵌着されているので、裏ケース１１１ｃと主制御基板ケース１１２とが連結密着状に形成されることとなり、主制御基板ケース１１２の取り外しにおいて必要な動作となる主制御基板ケース１１２の係合体１２９の上下方向へのスライドと前後方向への回転とを不可能とし、従来のように、裏機構盤１０２に対して着脱可能な主制御基板ケース１１２をすばやく、かつ容易に取り外すことがより一層困難となる。
【００６６】
裏機構盤１０２において、液晶表示盤２７の上側には賞球貯留タンク１０５が隣接して位置しており、液晶表示盤２７を保護するための裏ケース１１１ｄを賞球貯留タンク１０５と連結させることも可能である。すなわち、図１４及び図１５に示すように、裏ケース１１１ｄの上側部の外側面側に孔部１４６ａを備えた突起部１４６を２箇所設けるとともに、賞球貯留タンク１０５の底部外側面側にボス１４７を２箇所形成して、断面Ｌ字状の板状体としての連結体１４８を両者にビス１４９等により固着させて連結させる。このように、裏ケース１１１ｄを賞球貯留タンク１０５と連結させれば、不正遊技者が主制御基板ケース１１２を取り外すためには、その前にまず、賞球貯留タンク１０５を取り外し、次に、裏ケース１１１ｄを取り外す必要が生じることとなる。
【００６７】
なお、上記裏ケース１１１ａ、１１１ｂ、１１１ｃ、１１１ｄの取り付け形態、上記連結体１４８の取り付け形態、上記裏ケース１１１ａ、１１１ｂ、１１１ｃ、１１１ｄと主制御基板ケース１１２との嵌着形態は任意である。また、液晶表示盤２７のサイズも任意であり、主制御基板ケース１１２のみならず、枠制御基板ケース、音声制御基板ケース、ランプ制御基板ケース、図柄制御基板ケースなどの他の制御基板ケースにも対応させることが可能である。さらに、裏ケースと各制御基板ケースとの配置関係が上下関係にかかわらず、任意の関係であっても、裏ケースが各制御基板ケースの一部又は全部を被覆可能である限りよい。
【００６８】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【図面の簡単な説明】
【図１】本発明の一実施例たるパチンコ機の正面図。
【図２】その遊技盤の正面図。
【図３】パチンコ機の背面図。
【図４】図１のパチンコ機の電子制御装置の一例を示すブロック図。
【図５】図４の電子制御装置におけるメインジョブの流れを示すフローチャート。
【図６】裏機構盤に取り付ける主制御基板ケースの説明図。
【図７】裏機構盤の他の形態を示すパチンコ機の背面図。
【図８】（ａ）は裏ケースの正面図であり、（ｂ）は液晶表示盤及び裏ケースを取り外し、かつ主制御基板ケースを裏機構盤に取り付けたパチンコ機の背面図。
【図９】パチンコ機の左側面図。
【図１０】主制御基板ケースの一部を被覆した裏ケースを示す拡大斜視図。
【図１１】裏機構盤に取り付ける裏ケースの右側部の取り付け部位の説明図。
【図１２】主制御基板ケースの一部を被覆した裏ケースを示す拡大斜視図。
【図１３】裏ケースの下側部近傍に凸部を形成し、この凸部を主制御基板ケースの蓋部に嵌着した場合における、一部破断した側面図。
【図１４】裏ケースと賞球貯留タンクとの連結部を示す正面図。
【図１５】裏ケースと賞球貯留タンクとの連結部を一部破断した側面図。
【符号の説明】
１  パチンコ機（遊技機）
１０  遊技盤
１０２  裏機構盤
１０５  賞球貯留タンク
１１１ａ、１１１ｂ、１１１ｃ、１１１ｄ  裏ケース
１１２  主制御基板ケース
１１２ａ  カバー体
１３７  凸部
１３８  凹部
１４８  連結体
【図１】
0003648566.tif 000002
【図２】
0003648566.tif 000003
【図３】
0003648566.tif 000004
【図４】
0003648566.tif 000005
【図５】
0003648566.tif 000006
【図６】
0003648566.tif 000007
【図７】
0003648566.tif 000008
【図８】
0003648566.tif 000009
【図９】
0003648566.tif 000010
【図１０】
0003648566.tif 000011
【図１１】
0003648566.tif 000012
【図１２】
0003648566.tif 000013
【図１３】
0003648566.tif 000014
【図１４】
0003648566.tif 000015
【図１５】
0003648566.tif 000016